【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
少なくとも第１の視差画像、第２の視差画像及び第３の視差画像を生成する生成手段と、
前記第１の視差画像、前記第２の視差画像及び前記第３の視差画像をこの順で繰り返し出力する出力手段とを備え、
前記第１の視差画像、前記第２の視差画像及び前記第３の視差画像は、それぞれ異なる瞳領域を通過した画像に対応し、
前記第１の視差画像と前記第２の視差画像との間の視差は、前記第１の視差画像と前記第３の視差画像との間の視差よりも小さい、画像処理装置。
【請求項２】
前記第１の視差画像、前記第２の視差画像及び前記第３の視差画像を含みｎ個の視差画像からなる視差画像列のうち、最初の視差画像と最後の視差画像とが同じである、請求項１に記載の画像処理装置。ここで、ｎは３以上の整数である。
【請求項３】
前記第１乃至第３の視差画像のうち隣接する視差画像に対応する前記瞳領域は互いに隣接している、請求項１又は２に記載の画像処理装置。
【請求項４】
前記第１乃至第３の視差画像のうち隣接する視差画像の各組に対して、重み付けを段階的に変更しながら補間処理を繰り返し適用する補間処理手段をさらに備える、請求項１乃至３の何れか一項に記載の画像処理装置。
【請求項５】
結像光学系と、
前記結像光学系の異なる瞳領域を通過した光を受け取る画素が配列された撮像手段と、
請求項１乃至３の何れか１項に記載の画像処理装置とを備えた撮像装置。
【請求項６】
前記画素は、前記結像光学系の異なる瞳領域を通過した光を受け取る複数の副画素を有し、
前記生成手段は、各瞳領域に対応する副画素の出力から前記視差画像を生成する、請求項５に記載の撮像装置。
【請求項７】
前記副画素は２次元的に配列されている、請求項６に記載の撮像装置。
【請求項８】
表示手段と、
請求項１乃至４の何れか１項に記載の画像処理装置とを備えた表示装置。
【請求項９】
前記出力手段は、前記視差画像を動画として出力する、請求項１乃至４の何れか１項に記載の画像処理装置。
【請求項１０】
少なくとも第１の視差画像、第２の視差画像及び第３の視差画像を生成するステップであって、前記第１の視差画像、前記第２の視差画像及び前記第３の視差画像は、それぞれ異なる瞳領域を通過した画像に対応する、ステップと、
前記第１の視差画像、前記第２の視差画像及び前記第３の視差画像をこの順で繰り返し出力するステップであって、前記第１の視差画像と前記第２の視差画像との間の視差は、前記第１の視差画像と前記第３の視差画像との間の視差よりも小さい、ステップとを具備する、画像処理装置の制御方法。
【請求項１１】
結像光学系の異なる瞳領域を通過した光束を受光できる画素を配列した撮像手段により取得された画像を入力する入力手段と、
前記入力手段で入力された画像から、デフォーカス量の大きさが増加するのに伴い視差画像間の像ずれ量の大きさが増加する関係を有する複数の視差画像を生成する視差画像生成手段と、
前記生成された複数の視差画像から重複を許して複数回の選択により、選択された前記視差画像を選択順に並べた視差画像列を生成する視差画像列生成手段と、
前記視差画像列に含まれる隣接する視差画像の各組に対して補間処理を繰り返し適用して複数の補間画像を生成し、当該生成された複数の補間画像を前記隣接する視差画像間に配列して出力する補間処理手段と、
前記補間処理手段の出力を動画の出力画像として出力する出力手段と
を備えることを特徴とする画像処理装置。
【請求項１２】
前記生成された複数の視差画像は、各視差画像が前記結像光学系の射出瞳の異なる瞳領域に対応し、前記像ずれが同一直線上とならないことを特徴とする請求項１１に記載の画像処理装置。
【請求項１３】
前記視差画像列生成手段は、前記視差画像列の最初の視差画像と最後の視差画像が同じであるように前記生成された複数の視差画像を選択することを特徴とする請求項１１または１２に記載の画像処理装置。
【請求項１４】
前記視差画像列生成手段は、前記隣接する視差画像に対応する前記瞳領域が隣接するように前記生成された複数の視差画像を選択することを特徴とする請求項１２に記載の画像処理装置。
【請求項１５】
前記補間手段は、前記隣接する視差画像の各組に対して、重み付けを段階的に変更しながら補間処理を繰り返し適用することを特徴とする請求項１１乃至１４の何れか一項に記載の画像処理装置。
【請求項１６】
画像を入力する入力手段と前記入力画像の処理手段を備えた画像処理装置の制御方法であり、
結像光学系の異なる瞳領域を通過した光束を受光できる画素を配列した撮像手段により取得された画像を前記入力手段で入力する入力ステップと、
前記入力手段で入力された画像から、デフォーカス量の大きさが増加するのに伴い視差画像間の像ずれ量の大きさが増加する関係を有する複数の視差画像を生成する視差画像生成ステップと、
前記入力された複数の視差画像から重複を許して複数回の選択により、選択された前記視差画像を選択順に並べた視差画像列を生成する視差画像列生成ステップと、
前記視差画像列に含まれる隣接する視差画像の各組に対して補間処理を繰り返し適用して複数の補間画像を生成し、当該生成された複数の補間画像を前記隣接する視差画像間に配列して出力する補間処理ステップと、
前記補間処理ステップの出力を動画の出力画像として出力する出力ステップと
を備えることを特徴とする制御方法。
【請求項１７】
コンピュータを、
入力された画像を処理する画像処理装置の制御方法において、
結像光学系の異なる瞳領域を通過した光束を受光できる画素を配列した撮像手段により取得された画像を入力する入力手段、
前記入力手段で入力された画像から、デフォーカス量の大きさが増加するのに伴い視差画像間の像ずれ量の大きさが増加する関係を有する複数の視差画像を生成する視差画像生成手段、
前記生成された複数の視差画像から重複を許して複数回の選択により、選択された前記視差画像を選択順に並べた視差画像列を生成する視差画像列生成手段、
前記視差画像列に含まれる隣接する視差画像の各組に対して補間処理を繰り返し適用して複数の補間画像を生成し、当該生成された複数の補間画像を前記隣接する視差画像間に配列して出力する補間処理手段、
前記補間処理手段の出力を動画の出力画像として出力することを出力手段として機能させるプログラム。
【請求項１８】
請求項１７のプログラムを記録したコンピュータが読み取り可能な記録媒体。
【請求項１９】
コンピュータを、請求項１１乃至１５のいずれか一項に記載された画像処理装置の各手段として機能させるプログラム。
【請求項２０】
コンピュータを、請求項１１乃至１５のいずれか一項に記載された画像処理装置の各手段として機能させるプログラムを格納した記憶媒体。
【請求項２１】
結像光学系と、
前記結像光学系の異なる瞳領域を通過した光束を受光できる画素を配列した撮像手段と、
請求項１１乃至１５の何れか一項に記載の画像処理装置を備えることを特徴とする撮像装置。
【請求項２２】
前記画素は、前記結像光学系の異なる瞳領域を通過する光束をそれぞれ受光する複数の副画素を有し、前記視差画像生成手段は、各瞳領域に対応する副画素の出力から前記複数の視差画像を生成することを特徴とする請求項２１に記載の撮像装置。
【請求項２３】
前記複数の副画素は２次元に配列されていることを特徴とする請求項２２に記載の撮像装置。
【請求項２４】
表示手段と、
請求項１１乃至１５の何れか一項に記載の画像処理装置を備えることを特徴とする表示装置。